(57)【要約】 【課題】  多様な用途への適応を可能にする。装飾性を高める。【解決手段】  本考案に係る装飾プレート用基片は、細長形の板片１に別の装飾プレート用基片Ａが嵌合組付けされる嵌合部２が設けられている。嵌合部２は、板片１の厚さ方向に連続して凹凸状に出入りされ長さ方向に規則的に並列されている。その結果、装飾プレート用基片が凹凸状に出入りする嵌合部で互いに離脱を阻止するように嵌合組付けされ、装飾プレート用基片の組付け強度が高くなるため、多様な用途への適応が可能になる効果がある。【選択図】  図１
0003124092.tif 000002
【実用新案登録請求の範囲】
【請求項１】
細長形の板体に別の装飾プレート用基片が嵌合組付けされる嵌合部が設けられ、嵌合部は板体の厚さ方向に連続して凹凸状に出入りされ長さ方向に規則的に並列されていることを特徴とする装飾プレート用基片。
【請求項２】
請求項１の装飾プレート用基片において、板体は両端部に別の装飾プレート用基片の端部が連結される連結部が設けられていることを特徴とする装飾プレート用基片。
【請求項３】
請求項１または２の装飾プレート用基片において、嵌合部は嵌合組付けの内側となる凹状面にリブが設けられていることを特徴とする装飾プレート用基片。
【請求項４】
請求項１〜３のいずれかの装飾プレート用基片において、板体は透光性を有する材質からなることを特徴とする装飾プレート用基片。
【請求項５】
請求項１〜４のいずれかの装飾プレート用基片の複数枚が嵌合組付けされ一定の面積を有する板状物に形成されていることを特徴とする装飾プレート。
【請求項６】
請求項５の装飾プレートにおいて、装飾プレート用基片は形成される板状物の位置によって色彩が異なるものが嵌合組付けされていることを特徴とする装飾プレート。
【請求項７】
請求項５または６の装飾プレートにおいて、板状物は複数枚が連結されていることを特徴とする装飾プレート。
【考案の詳細な説明】
【技術分野】
【０００１】
本考案は、多様な用途への適応を可能にした装飾プレートと、この装飾プレートを構成する装飾プレート用基片とに係る技術分野に属する。
【背景技術】
【０００２】
最近、細長形の板片からなる装飾プレート用基片を組付けて一定の面積を有する板状物である装飾プレートを形成することができるようにしたものが提供されている。この装飾プレート用基片，装飾プレートは、装飾プレート用基片の組付け枚数を増減することで、装飾プレートの面積（大きさ）を調整することができるという利点がある。
【０００３】
従来、前述の装飾プレート用基片，装飾プレートとしては、例えば、以下に記載のものが知られている。
【特許文献１】特開昭６１−１００２７５号公報  特許文献１には、細長形の板片に別の装飾プレート用基片が差込み組付けされるスリットが設けられ、スリットは板片の長辺から直交方向へ一定の間隔を介して切込まれている装飾プレート用基片が記載されている。また、装飾プレート用基片の複数枚が差込み組付けされ一定の面積を有する格子状物に形成された装飾プレートが記載されている。
【０００４】
特許文献１に係る装飾プレート用基片，装飾プレートは、食器の敷物であるコースターとして用途が提案されている。
【考案の開示】
【考案が解決しようとする課題】
【０００５】
特許文献１に係る装飾プレート用基片，装飾プレートでは、装飾プレート用基片が抜けやすいスリットで差込み組付けされているため、装飾プレート用基片の組付け強度が低く用途が限定されてしまうという問題点がある。また、組付けられた装飾プレート用基片の間に大きく隙間（窓）が形成されているため、装飾プレート用基片の組付けの装飾に細密性がなく装飾性が低いという問題点がある。
【０００６】
本考案は、このような問題点を考慮してなされたもので、主に室内、車内の窓や壁に装飾用として使用すると共に、その他多様な用途への適応が可能で装飾性の高い装飾プレート用基片，装飾プレートを提供することを課題とする。
【課題を解決するための手段】
【０００７】
前述の課題を解決するため、本考案に係る装飾プレート用基片は、実用新案登録請求の範囲の請求項１〜４に記載の手段を採用する。
【０００８】
即ち、請求項１では、細長形の板片に別の装飾プレート用基片が嵌合組付けされる嵌合部が設けられ、嵌合部は板片の厚さ方向に連続して凹凸状に出入りされ長さ方向に規則的に並列されていることを特徴とする。
【０００９】
この手段では、装飾プレート用基片が凹凸状に出入りする嵌合部で互いに離脱を阻止するように嵌合組付けされることから、装飾プレート用基片の組付け強度が高くなる。また、装飾プレート用基片が連続した規則的な嵌合部で組付けられて装飾プレート用基片が密に整列されることから、組付けられた装飾プレート用基片の装飾にモザイク様の細密性が得られる。
【００１０】
また、請求項２では、請求項１の装飾プレート用基片において、板片は両端部に別の装飾プレート用基片の端部が連結される連結部が設けられていることを特徴とする。
【００１１】
この手段では、連結部を連結することによって実質的に板片の長さを延長することができる。
【００１２】
また、請求項３では、請求項１または２の装飾プレート用基片において、嵌合部は嵌合組付けの内側となる凹状面にリブが設けられていることを特徴とする。
【００１３】
この手段では、リブが露出することなく嵌合部を補強する。
【００１４】
また、請求項４では、請求項１〜３のいずれかの装飾プレート用基片において、板片は透光性を有する材質からなることを特徴とする。
【００１５】
この手段では、モザイク様の細密性の装飾に光の透光，反射が加飾される。
【００１６】
前述の課題を解決するため、本考案に係る装飾プレートは、実用新案登録請求の範囲の請求項５〜７に記載の手段を採用する。
【００１７】
即ち、請求項５では、請求項１〜４のいずれかの装飾プレート用基片の複数枚が嵌合組付けされ一定の面積を有する板状物に形成されていることを特徴とする。
【００１８】
この手段では、装飾プレート用基片の嵌合組付けのみによって凹凸，隙間のない板状物が形成される。
【００１９】
また、請求項６では、請求項５の装飾プレートにおいて、装飾プレート用基片は形成される板状物の位置によって色彩が異なるものが嵌合組付けされていることを特徴とする。
【００２０】
この手段では、板状物に色彩による模様等の装飾が施される。
【００２１】
また、請求項７では、請求項５または６の装飾プレートにおいて、板状物は複数枚が連結されていることを特徴とする。
【００２２】
この手段では、板状物を１つのユニットとして複数のユニットが連結される。
【考案の効果】
【００２３】
本考案に係る装飾プレート用基片は、装飾プレート用基片が凹凸状に出入りする嵌合部で互いに離脱を阻止するように嵌合組付けされ、装飾プレート用基片の組付け強度が高くなるため、多様な用途への適応が可能になる効果がある。また、装飾プレート用基片が連続した規則的な嵌合部で組付けられて装飾プレート用基片が密に整列され、組付けられた装飾プレート用基片の装飾にモザイク様の細密性が得られるため、装飾性が高くなる効果がある。
【００２４】
また、請求項２として、連結部を連結することによって実質的に板片の長さを延長することができるため、構成される装飾プレートの面積の調整の範囲が拡張される効果がある。
【００２５】
また、請求項３として、リブが露出することなく嵌合部を補強するため、装飾性を低下させることなく板片の強度を高めることができる効果がある。
【００２６】
また、請求項４として、モザイク様の細密性の装飾に光の透光，反射が加飾されるため、装飾性がより高くなる効果がある。
【００２７】
さらに、本考案に係る装飾プレート用基片は、装飾プレート用基片の嵌合組付けのみによって凹凸，隙間のない板状物が形成されるため、多様な用途への適応が可能で装飾性の高い平板な装飾用品として簡単な工作で形成される効果がある。
【００２８】
また、請求項６として、板状物に色彩による模様等の装飾が施されるため、板状物に積極的に意匠を構成することができる効果がある。
【００２９】
また、請求項７として、板状物を１つのユニットとして複数のユニットが連結されるため、全体の面積，形状を簡単に調整することができる効果がある。
【考案を実施するための最良の形態】
【００３０】
以下、本考案に係る装飾プレート用基片および装飾プレートを実施するための最良の形態を図面に基づいて説明する。
【００３１】
図１〜図１０は、本考案に係る装飾プレート用基片および装飾プレートを実施するための最良の形態の第１例を示すものである。
【００３２】
第１例では、図１に示すような装飾プレート用基片Ａを直交するように組付けることで、図５に示すような碁盤目状の装飾プレートＢを形成するものを示してある。
【００３３】
装飾プレート用基片Ａは、可撓性，透光性を有するアクリル樹脂等の合成樹脂材で細長形に形成された板片１に嵌合部２，リブ３，連結部４が設けられている。板片１は、図１，図２に示すように、両端部１１，１２が舌片形に形成されている。嵌合部２は、図１〜図３に示すように、板片１の厚さ方向に連続して凹凸状に出入りされ長さ方向に規則的に並列（図面では７個）され、ほぼ正方形の凸状面２１，凹状面２２の表裏面が側壁２３で接続されてコ字形に形成されている。嵌合部２の凹状面２２については、図２に示すように、板片１の長さ方向の幅ａが板片１の長さ方向に直交する幅ｂよりも２％程度大きく確保されている。リブ３は、図４に詳細に示されるように、嵌合部２の凹状面２２に板片１の長さ方向に３本の三角突条が平行に配設されている。リブ３の突出高さｃについては、板片１の厚さｄが１で嵌合部２の厚さｅが３である場合に、０．５程度となるように設定される。連結部４は、板片１の両端部１１，１２の対称位置に設けられ、一方が十字突起４１で他方が十字溝４２に形成されている。
【００３４】
装飾プレートＢは、図５に示すように、前述の装飾プレート用基片Ａに板片１を直交する方向に碁盤目状の板状物に組付けることでほぼ正方形に形成される。
【００３５】
装飾プレートＢを形成するには、図６に示すように、１枚の装飾プレート用基片Ａの板片１を反転させて、２枚の装飾プレート用基片Ａの板片１の逆の両端部１１，１２が近接するように直交して対面させ、両装飾プレート用基片Ａの板片１の両端部１１，１２に隣接する嵌合部２を互いに嵌合させる。このとき、両装飾プレート用基片Ａの嵌合部２の凹状面２２がリブ３を介して当接し、嵌合部２の側壁２３が凸状面２２，凹状面２３の側部を嵌合保持する。従って、リブ３が組付けられた装飾プレート用基片Ａの嵌合部２の内側に位置され、外部に突出されなくなる。なお、嵌合部２の凹状面２２に大きく確保された幅ａは、余裕代となって嵌合部２の嵌合を容易にする。
【００３６】
続いて、図７に示すように、さらに１枚の装飾プレート用基片Ａの板片１を反転させずに先に反転されて組付けられている装飾プレート用基片Ａの板片１に平行に配置し、板片１の両端部１１，１２に隣接する嵌合部２を先に反転されずに組付けられている装飾プレート用基片Ａの次に隣接する嵌合部２に嵌合させる。
【００３７】
続いて、図８に示すように、さらに１枚の装飾プレート用基片Ａの板片１を反転させてに先に反転されずに組付けられている装飾プレート用基片Ａの板片１に平行に配置し、板片１の両端部１１，１２に隣接する嵌合部２を先に反転されずに組付けられている装飾プレート用基片Ａの次に隣接する嵌合部２に嵌合させ、次ぎに隣接する嵌合部２を先に反転されて組付けられている装飾プレート用基片Ａの次に隣接する嵌合部２に嵌合させる。即ち、装飾プレート用基片Ａの板片１をジグザグに編込むようにして嵌合部２を嵌合させることになる。なお、装飾プレート用基片Ａの板片１が可撓性を有しているため、装飾プレート用基片Ａの板片１のジグザグの編込みに支障が生ずることはない。
【００３８】
この装飾プレート用基片Ａの板片１の７枚，７枚の合計１４枚の嵌合組付によって、ほぼ正方形で凹凸，隙間のほとんどない板状物である装飾プレートＢが完成される。なお、装飾プレート用基片Ａの嵌合組付け以外に特殊な工作が要求されないため、装飾プレートＢの形成は容易である。完成された装飾プレートＢでは、隣接された２辺に装飾プレート用基片Ａの連結部４の十字突起４１が表裏が交互になるように整列され、隣接された他の２辺に装飾プレート用基片Ａの連結部４の十字溝４２が整列されている。このため、図９に示すように、装飾プレート用基片Ａの連結部４の十字溝４２に紐５を通すことにより、壁面等に取付けられたフック６に吊下げることができる。従って、壁掛け飾，窓掛け飾（建屋用窓，自動車用窓）等の吊下用の装飾品としての使用に適する。また、装飾プレートＢを構成する装飾プレート用基片Ａは、隣接する嵌合部２が抜止め側に位置して交互に編込まれた構造を呈し、リブ３が嵌合部２（凸状面２１，凹状面２２の壁片）を補強しているため、装飾プレート用基片Ａの組付け強度や装飾プレートＢの耐圧強度が高く、装飾プレート用基片Ａが簡単には離脱したり装飾プレート用基片Ａ，装飾プレートＢが簡単に変形したりすることがない。従って、ある程度強度の要求される建築用内装材，間仕切等の用途への適応も可能である。また、装飾プレートＢを構成する装飾プレート用基片Ａは、４枚の交差点に小さな方形の隙間Ｃを形成しているため、空気の流通が確保される。従って、ある程度通気性の要求されるサンバイザ，包装材等の用途への適応が可能である。
【００３９】
さらに、完成された装飾プレートＢは、装飾プレート用基片Ａの嵌合部２の凸状面２１であるほぼ正方形が格子形に連続するモザイク様の細密な模様が形成されている。また、装飾プレート用基片Ａの嵌合部２の凸状面２１には、リブ３が透視されてさらに小さなほぼ正方形が格子形に連続するモザイク様の細密な模様が形成されている。従って、装飾性が非常に高くなっている。また、装飾プレートＢを窓掛け飾等として光に当てると、装飾プレート用基片Ａの嵌合部２の凸状面２１やリブ３への光の透光，反射で装飾が加飾される。特に、リブ３が光の透光，反射を攪乱するため、不規則的，動的な装飾も期待することができる。また、板状物である装飾プレートＢの位置によって組付けられる装飾プレート用基片Ａの色彩を異ならせることによって、模様，文字，マーク等の装飾を施すことも可能である。尚、このとき装飾プレート用基片は、透光性を有するものであれば良く、透明性は問わない。
【００４０】
この装飾プレートＢについては、図５に示すものを１つのユニットとして複数を連結することで、適用する用途とに対応した面積，形状を自由に設定することができる。即ち、図１０（Ａ）に示すように、反転させた１つのユニットの装飾プレート用基片Ａの連結部４の十字突起４１を反転させていない他の１つのユニットの装飾プレート用基片Ａの連結部４の十字溝４２に係合させて連結する。そして、図１０（Ｂ）に示すような連結されたユニットを必要な方向へ拡張することになる。この連結は、実質的に装飾プレート用基片Ａの板片１の長さを延長して大きな装飾プレートＢを形成したことにもなる。なお、連結部４の連結では、隣接する装飾プレート用基片Ａごとに交互に逆方向から係合され、抜け方向に交互に抵抗として存在することになるため、連結強度が高く簡単に離脱することはない。この交互に逆方向から連結する工作を容易にするために、板片１の両端部１１，１２を薄性にして曲げやすくすることも可能である。
【００４１】
図１１は、本考案に係る装飾プレート用基片および装飾プレートを実施するための最良の形態の第２例を示すものである。
【００４２】
第２例では、装飾プレート用基片Ａの嵌合部２の側壁２３を凹状面２２から外側に向かって拡開するテーパ形にしてある。
【００４３】
第２例によると、嵌合部２の嵌合抵抗が減少され、嵌合部２の嵌合による装飾プレート用基片Ａの組付け工作が容易になる。
【００４４】
図１２，図１３は、本考案に係る装飾プレート用基片および装飾プレートを実施するための最良の形態の第３例を示すものである。
【００４５】
第３例では、装飾プレート用基片Ａの嵌合部２がほぼ菱形になるように形成してある。
【００４６】
第３例によると、装飾プレートＢに菱形が格子形に連続するモザイク様の細密な模様が形成されることになる。
【００４７】
なお、第３例では、装飾プレートＢのユニットを連結する際に、ユニットを反転させると逆傾斜となってしまう。このため、図１３に示すように、予め装飾プレート用基片Ａの組付けを位相させたユニットを形成しておくことになる。
【００４８】
図１４は、本考案に係る装飾プレート用基片および装飾プレートを実施するための最良の形態の第４例を示すものである。
【００４９】
第４例では、装飾プレート用基片Ａのリブ３の条数を増加させている。
【００５０】
第４例によると、リブ３による光の攪乱が増幅されて装飾性がより高くなる。
【００５１】
図１５は、本考案に係る装飾プレート用基片および装飾プレートを実施するための最良の形態の第５例を示すものである。
【００５２】
第５例では、装飾プレート用基片Ａの連結部４の形状を丸突起４３，丸孔４４としている。
【００５３】
第５例によると、連結部４の構造が簡素であるため、連結部４の連結の工作が容易になる。
【００５４】
図１６は、本考案に係る装飾プレート用基片および装飾プレートを実施するための最良の形態の第６例を示すものである。
【００５５】
第６例では、装飾プレート用基片Ａの連結部４の形状を板片１の両端部１１，１２で共通する丸孔４５としている。そして、連結される丸孔４５を共通の止ピン４６で挿通連結するようにしている。
【００５６】
第６例によると、組付けられる装飾プレート用基片Ａの向きを考慮しなくても、装飾プレートＢを簡単に連結することができるようになる。
【００５７】
以上、図示した各例の外に、連結部４を利用して装飾プレートＢをフレーム等に嵌込み使用することも可能である。
【図面の簡単な説明】
【００５８】
【図１】本考案に係る装飾プレート用基片および装飾プレートを実施するための最良の形態の第１例の装飾プレート用基片の構造，組付けを示す斜視図である。
【図２】図１の１つの装飾プレート用基片の平面図である。
【図３】図１の１つの装飾プレート用基片の拡大縦断面図である。
【図４】図３のＸ−Ｘ線拡大断面図である。
【図５】図１の装飾プレート用基片の組付けで形成された装飾プレートの平面図である。
【図６】図５の装飾プレートを形成する装飾プレート用基片の組付け工作を示す斜視図である。
【図７】図６に続く組付け工作の工程を示す斜視図である。
【図８】図７に続く組付け工作の工程を示す斜視図である。
【図９】図５に使用例を示す図である。
【図１０】図５の連結例の図であり、（Ａ）に連結前の状態が示され、（Ｂ）に連結後の状態が示されている。
【図１１】本考案に係る装飾プレート用基片および装飾プレートを実施するための最良の形態の第２例の断面図である。
【図１２】本考案に係る装飾プレート用基片および装飾プレートを実施するための最良の形態の第３例の平面図である。
【図１３】図１２の連結例の図であり、（Ａ）に連結前の状態が示され、（Ｂ）に連結後の状態が示されている。
【図１４】本考案に係る装飾プレート用基片および装飾プレートを実施するための最良の形態の第４例の断面図である。である。
【図１５】本考案に係る装飾プレート用基片および装飾プレートを実施するための最良の形態の第５例の平面図である。
【図１６】本考案に係る装飾プレート用基片および装飾プレートを実施するための最良の形態の第６例の断面図である。
【符号の説明】
【００５９】
１   
板片
２           
嵌合部
２１          凸状面
２２          凹状面
３            リブ
４            連結部
Ａ            装飾プレート用基片
Ｂ            装飾プレート
【図１】
0003124092.tif 000003
【図２】
0003124092.tif 000004
【図３】
0003124092.tif 000005
【図４】
0003124092.tif 000006
【図５】
0003124092.tif 000007
【図６】
0003124092.tif 000008
【図７】
0003124092.tif 000009
【図８】
0003124092.tif 000010
【図９】
0003124092.tif 000011
【図１０】
0003124092.tif 000012
【図１１】
0003124092.tif 000013
【図１２】
0003124092.tif 000014
【図１３】
0003124092.tif 000015
【図１４】
0003124092.tif 000016
【図１５】
0003124092.tif 000017
【図１６】
0003124092.tif 000018